(57)【要約】【課題】  高さ位置における束の固定の際に、それほどの力を必要としない、束の固定機構を提供する。【解決手段】  外周面にネジ山（２１）が形成された支柱（２）と、該支柱（２）の上端側に組み合うネジ溝を有する上面基台（１）と、該支柱（２）のネジ山に組み合うネジ溝が形成され、固定の際に上面基台（１）と面接触する固定リング（４）とを有し、該固定リング（４）の上面基台（１）との接触面側には、放射方向に多数の線状突起体（４２）が形成されている。【選択図】図２
2018123594.tif 000002
【特許請求の範囲】
【請求項１】
外周面にネジ山が形成された支柱と、
該支柱の一端側に組み合うネジ溝を有する基台と、
該支柱のネジ山に組み合うネジ溝が形成され、固定の際に基台と面接触する固定リングとを有し、
面接触する一方の接触面にのみ、固定用突起が形成されていることを特徴とする、束の固定機構。
【請求項２】
前記固定用突起が、固定リングの接触面側に形成されていることを特徴とする、前記請求項１に記載の束の固定機構。
【請求項３】
前記固定用突起が、放射方向に形成された線状突起体であることを特徴とする、前記請求項１または２に記載の束の固定機構。
【発明の詳細な説明】
【技術分野】
【０００１】
本発明は束の固定機構に関し、詳細には、高さ調節式の束について高さ位置における固定を行う束の固定機構に関する。
【背景技術】
【０００２】
建築構造物の床工事において、高さ調整式の束が使用されることが多く、該高さ調整式の束には、高さ位置の固定を行う固定機構を有している。
例えば、特許文献１に記載のチャッキング・レベルロック機構を具備した合成樹脂製の高さ調節床束は、スラブまたは束石上に設置すべきスタンド雌ネジ筒１と、この雌ネジ筒１に上げ下げ自在に螺合せるスクリューロッド２と、このスクリューロッド２の上部に上げ下げ自在に螺合せる床支承雌ネジ筒３と、この床支承雌ネジ筒３および前記スタンド雌ネジ筒１とスクリューロッド２とのレベル位置関係をロックする一対のロックナット４・４との組み合わせから成る高さ調節床束を技術的前提とするものであって、前記スタンド雌ネジ筒１の上端外周面と床支承雌ネジ筒３の下端外周面に凸縁１１・３１を各々形成する一方、これらスタンド雌ネジ筒１又は床支承雌ネジ筒３の凸縁１１・３１に掛合可能なフック片４１・４１を有する一対のロックナット４・４を前記スクリューロッド２に螺合させた状態で当該各凸縁１１・３１に対し前記フック片４１・４１を掛合させ、更に前記スタンド雌ネジ筒１および床支承雌ネジ筒３と、これに対応するロックナット４・４とには両者の圧着時に回転滑動を阻止する制動部Ｂ１・Ｂ２を形成したものである。
【０００３】
すなわち、該高さ位置におけるロック機構は、スタンド雌ネジ筒１および床支承雌ネジ筒３と、これに対応するロックナット４・４との両者に、圧着時に回転滑動を阻止する制動部Ｂ１・Ｂ２であるローレットを各々形成することで、両者が面合圧接した際に強固に噛み合うように確実に締め付けることで固定する構造である。
【発明の概要】
【発明が解決しようとする課題】
【０００４】
上記特許文献１に記載の高さ位置におけるロック機構は、互いの接触面に形成したローレットが噛み合うことで固定する構造であるため、両者のローレットが強固に噛み合うよう確実に締め付けることができれば、しっかりと固定できるものである。
しかしながら、両者のローレットが強固に噛み合うように固定するには、かなりの力で締め付ける必要があった。
【０００５】
従って、本発明が解決しようとする課題は、高さ位置における束の固定の際に、それほどの力を必要としない、束の固定機構を提供することにある。
【課題を解決するための手段】
【０００６】
本発明の課題を解決するための手段は、下記のとおりである。
【０００７】
第1に、
外周面にネジ山が形成された支柱と、
該支柱の一端側に組み合うネジ溝を有する基台と、
該支柱のネジ山に組み合うネジ溝が形成され、固定の際に基台と面接触する固定リングとを有し、
面接触する一方の接触面にのみ、固定用突起が形成されていることを特徴とする、束の固定機構。
ここで、固定用突起とは、面接触した際に、他方の面に食い込むことで固定するための突起体であればよく、例えば、複数の線状突起体の他に、複数の点状突起群によっても形成することができる。
また、基台としては、支柱の上端側に組み合う上面基台の他に、支柱の下端側に組み合う下面基台も該当する。
第２に、
前記固定用突起が、固定リングの接触面側に形成されていることを特徴とする、上記第１に記載の束の固定機構。
第３に、
前記固定用突起が、半径方向である放射方向に形成された線状突起体であることを特徴とする、上記第１または第２に記載の束の固定機構。
【発明の効果】
【０００８】
本発明によれば、以下の効果を奏することができる
【０００９】
本発明の束の固定機構は、面接触する一方の接触面にのみ固定用突起が形成されているので、固定の際には、それほどの力を必要としないで締め付けるだけでも、しっかりと固定することができる。
【００１０】
特に、固定用突起が、固定リングの接触面側に形成されている場合には、締め付け動作の際に、回転動作を伴う面側に固定用突起が形成されているので、しっかりと固定することができる。
【００１１】
また、固定用突起が、放射方向に形成された線状突起体である場合には、より容易に固定することができる。
【図面の簡単な説明】
【００１２】
【図１】本発明の束の固定機構を構成する固定リングの説明図であり、 (ａ)は平面図、（ｂ）は側面図、(ｃ)は底面図である。
【図２】本発明の束の固定機構を有する束の各構成部品の斜視図である。
【図３】本発明の束の固定機構を構成する上面基台の説明図であり、（ａ）は平面図、（ｂ）は側面図である。
【図４】本発明の束の支柱の説明図である。
【図５】本発明の束の下面基台の説明図であり、（ａ）は平面図、（ｂ）は側面図、（ｃ）は縦断面図である。
【図６】本発明に係る固定機構を有する束の使用状態の説明図である。
【発明を実施するための形態】
【００１３】
以下、本発明を実施するための形態を、図面を参照しつつ具体的に説明する。
ここで、添付図面において同一の部材には同一符号を付しており、また重複した説明は省略されている。
なお、ここでの説明は本発明が実施される一形態であることから、本発明は該当形態に限定されるものではない。
【００１４】
該本実施形態の束の固定機構は、図２に示すように、ポリプレピレン樹脂製の上面基台１と、該上面基台１と上端側が組み合うポリプレピレン樹脂製の支柱２と、該支柱２の下端側と組み合うポリプレピレン樹脂製の下面基台３と、支柱２に組み合わせるポリプレピレン樹脂製の固定リング４とを有し、該固定リング４の上面基台１との接触面側には、放射方向に多数の線状突起体４２が形成されている。
【００１５】
前記上面基台１は、床板を支持する根太材の底面側に例えばネジ止め等によって取り付けるものであり、図２及び図３に示すように、中央が開孔したドーナツ状の円形板１１の中央部に、支柱２の上端側をねじ込み可能なネジ溝が内面側に形成された小円筒１２を一体で形成したものである。
図２及び図３中、１１ａは円形板１１の４箇所に設けられたネジ孔、１３は小円筒１２の外周に同間隔で６箇所に設けられた縦リブを示している。
【００１６】
前記支柱２は、図４に示すように、外周面にネジ山が形成された、例えば外径が３９ミリメートルの中空筒２１の下端側に、僅かに中空筒２１の外径より直径が大きい球状端部２２を一体で形成したものである。
例えば、該中空筒２１の外径を３９ミリメートルとした場合には、球状端部２２の直径が４０ミリメートルとなるように形成されている。
【００１７】
前記下面基台３は、図５に示すように、前記支柱２の球状端部２２と組み合う小円筒状の凹部収納体３１の外周に、フランジ３２を一体で形成したものである。
該凹部収納体３１及びフランジ３２には、前記球状端部２２を組み合わせた際に凹部が広がるように、スリット３３が連続して形成されている。
【００１８】
前記凹部収納体３１は、中央部に、底面側まで貫通する小孔３１ａを有し、前記スリット３３が該小孔３１ａまで続いて形成されている。
ここで、中央部に小孔３１ａを形成することで、設置箇所に本実施形態の束を置いた状態で、中央部の小孔３１を介して設置箇所の目印を、直接目視によって確認することができるので、設置作業が極めて容易となる。
【００１９】
前記凹部収納体３１の凹部の上端側の直径は、球状端部２２の球の部分の直径より小さく、例えば、球状端部２２の直径が４０ミリメートルの場合は、３８．７ミリメートルに形成されている。
なお、前記凹部収納体３１の凹部の上端側の直径とは、小円筒状の凹部収納体３１の厚みを除く、内径部分の一端から対向する反対端までの長さを示す。
【００２０】
前記凹部収納体３１の外面に対して、縦方向にスリット３３を閉じるための二つの係止片３４が、下面基台３のスリット３３の形成箇所を挟むように形成されている。
前記係止片３４には、図６に示すように、締め付け用の締付ネジ３５が貫通するネジ孔３４ａが形成されている。
【００２１】
図５中、３２ａはフランジに形成された固定用のネジ孔であり、３６は凹部収納体３１及びフランジ３２と一体となって三角形状に形成された三角リブである。
該三角リブ３６は、スリット３３の形成箇所を除き、９０度の角度毎に３箇所に形成されている。
【００２２】
前記固定リング４は、図１または図２に示すように、小円筒状であり、同間隔で６箇所に縦リブ４１が形成され、該固定リング４の上面基台１との接触面側には、図１中の（ａ）（ｂ）に詳細に示すように、固定用突起として、放射方向に多数の線状突起体４２が形成されている。
該固定リング４の内周面には、図２に示すように、ネジ溝が形成されている。
【００２３】
次に、上記の固定機構を有する束の使用例について説明する。
【００２４】
設置面の所定箇所に、必要な数の下面基台３を配置する。
この際、設置箇所に本実施形態の束を置いた状態で、中央部の小孔３１を介して設置箇所の目印を、直接目視によって確認することができる。
【００２５】
設置位置の確認後、各束について、スリット３３の形成側と反対側の２箇所のネジ孔３２ａをネジ止めして部分的に固定する。
その後、下面基台３の凹部収納体３１に、支柱２の球状端部２２を嵌め込むことで、下面基台３の位置がずれなくなるので、嵌め込み作業が容易となる。
【００２６】
ここで、支柱２の球状端部２２を凹部収納体３１に嵌め込む際は、スリット３３の部分が一時的に広がるので、容易に組み合わせることが可能となる。
また、組み合わせた状態では、凹部収納体３１の上端側の直径が球状端部２２の直径より僅かに小さいので、支柱２が抜けにくく保持力を高めつつ、角度の調整が可能となる。
【００２７】
束への支柱２の嵌め込みが完了したら、残りの２箇所のネジ孔３２ａをネジ止めすることで、下面基台３の全体を固定する。
また、係止片３４に形成されたネジ孔３４ａを利用して、ネジで締め付けることで、組み合わせた球状端部２２を強固に固定することが可能となる。
【００２８】
固定後、各支柱２に、先に固定リング４を嵌め込んだ後で上面基台１を嵌め込む。
その後、各支柱２を垂直状態に調整する。
垂直調整後、各上面基台１の位置を設定した水平レベルに調整する。
【００２９】
水平レベル調整後、固定リング４で締め付けることで高さ位置を固定する。
固定の際には、固定リング４を上面基台１に押しつけるように締め付けることで、線状突起体４２が上面基台１の接触面に確実に食い込み固定機構として機能する。
この際、接触面のうち一方の面にのみ、線状突起体４２を形成するようにしたので、力を込めて強固に締め付けなくても、確実に食い込ませることができる。
その結果、上面基台１及び支柱２を、それほどの力を必要とせず、がたつき無く強固に固定することが可能となる。
【００３０】
この状態で、上面基台１の上面側より突出した支柱２の上端側は、切断することで長さを調整する。
そして、上面基台１は、ネジ孔１１ａへのネジ止めによって、根太材等に固定することで、束の設置が完了する。
【符号の説明】
【００３１】
１  上面基台
１１  円形板
１１ａ  ネジ孔
１２  小円筒
１３  縦リブ
２  支柱
２１  中空筒
２２  球状端部
３  下面基台
３１  凹部収納体
３１ａ  小孔
３２  フランジ
３２ａ  ネジ孔
３３  スリット
３４  係止片
３４ａ  ネジ孔
３５  締付ネジ
３６  三角リブ
４  リング
４１  縦リブ
４２  線状突起体
【先行技術文献】
【特許文献】
【００３２】
【特許文献１】特開２０００−１７０３０２号公報
【図１】
2018123594.tif 000003
【図２】
2018123594.tif 000004
【図３】
2018123594.tif 000005
【図４】
2018123594.tif 000006
【図５】
2018123594.tif 000007
【図６】
2018123594.tif 000008